(57)【要約】【課題】製造及び組み込みが容易で、かつ、各部材の寸法のバラツキの影響を受けず、スライド伸縮ノズル部の中栓部に対する摺動性、係止性、シール性を良好にできる容器の栓部材を提供すること。【解決手段】容器Ｂの口部に取り付けられる開口部を備えた中栓部２と、中栓部２の開口部に挿通し、中栓部２の軸方向に沿って摺動可能にされるスライド伸縮ノズル部３と、容器Ｂの口部を封止する栓部５とからなり、中栓部２とスライド伸縮ノズル部３とが、易破断部４を介して接続された状態で一体成形されてなる。【選択図】図１
2020029292.tif 000002
【特許請求の範囲】
【請求項１】
容器の口部に取り付けられる開口部を備えた中栓部と、中栓部の開口部に挿通し、中栓部の軸方向に沿って摺動可能にされるスライド伸縮ノズル部と、容器の口部を封止する栓部とからなる容器の栓部材において、前記中栓部とスライド伸縮ノズル部とが、易破断部を介して接続された状態で一体成形されてなることを特徴とする容器の栓部材。
【請求項２】
前記中栓部の上端部に、スライド伸縮ノズル部の下端部から延設した易破断部の端部が複数箇所で点接続されてなることを特徴とする請求項１に記載の容器の栓部材。
【請求項３】
前記容器の口部の上面に当接する中栓部のフランジの上面と、中栓部に収納されたスライド伸縮ノズル部の上面とが、略同一高さになるようにしたことを特徴とする請求項１又は２に記載の容器の栓部材。
【発明の詳細な説明】
【技術分野】
【０００１】
本発明は、容器の栓部材に関し、特に、容器の口部に取り付けられる開口部を備えた中栓部と、中栓部の開口部に挿通し、中栓部の軸方向に沿って摺動可能にされるスライド伸縮ノズル部と、容器の口部を封止する栓部とからなる容器の栓部材に関するものである。
【背景技術】
【０００２】
従来、ソース、ケチャップ、オイル等の液状食品や、乳液、ヘアーリキッド等の液状化粧品等の液状内容物を収容した容器の栓部材として、容器の口部に取り付けられる開口部を備えた中栓部と、中栓部の開口部に挿通し、中栓部の軸方向に沿って摺動可能にされるスライド伸縮ノズル部と、容器の口部を封止する栓部とからなる栓部材が汎用されている（例えば、特許文献１〜３参照。）。
【０００３】
この種の栓部材は、液状内容物を取り出すとき、栓部を外すことで、中栓部の開口部に挿通し、中栓部の軸方向に沿って摺動可能にされるスライド伸縮ノズル部を、栓部と共に引き上げ、中栓部に係止することでその状態を維持することができるようにしている。
これにより、液状内容物を取り出す際の量や方向が安定するとともに、液状内容物の液だれを防止することができるようにしている。
そして、液状内容物を取り出した後、栓部をすることで、スライド伸縮ノズル部を押し下げて、容器の口部を封止するようにしている。
【先行技術文献】
【特許文献】
【０００４】
【特許文献１】特開２００３−４０３１２号公報
【特許文献２】実開昭６３−８２７５４号公報
【特許文献３】実開昭５２−１６８７３７号公報
【発明の概要】
【発明が解決しようとする課題】
【０００５】
ところで、この種の栓部材は、別成形された各部材を組み合わせる方法によって製造されている。
そして、各部材は、生産効率を高めるため、金型に複数のキャビティを設定（複数個取り）することで、キャビティの数の部材を同時に成形することができるようにしている。
しかしながら、この方法によれば、以下の問題があることが分かった。
（１）中栓部とスライド伸縮ノズル部とが２パーツで構成されており、組み込み工程も必要でコスト高になる。
（２）２パーツの組み合わせのため、各部材の寸法のバラツキが原因で、スライド伸縮ノズル部の中栓部に対する摺動性、係止性、シール性のバラツキが発生しやすい。
【０００６】
本発明は、上記従来の栓部材の有する問題点に鑑み、製造及び組み込みが容易で、かつ、各部材の寸法のバラツキの影響を受けず、スライド伸縮ノズル部の中栓部に対する摺動性、係止性、シール性を良好にできる容器の栓部材を提供することを目的とする。
【課題を解決するための手段】
【０００７】
上記目的を達成するため、本発明の容器の栓部材は、容器の口部に取り付けられる開口部を備えた中栓部と、中栓部の開口部に挿通し、中栓部の軸方向に沿って摺動可能にされるスライド伸縮ノズル部と、容器の口部を封止する栓部とからなる容器の栓部材において、前記中栓部とスライド伸縮ノズル部とが、易破断部を介して接続された状態で一体成形されてなることを特徴とする。
【０００８】
この場合において、前記中栓部の上端部に、スライド伸縮ノズル部の下端部から延設した易破断部の端部が複数箇所で点接続されてなるようにすることができる。
【０００９】
また、前記容器の口部の上面に当接する中栓部のフランジの上面と、中栓部に収納されたスライド伸縮ノズル部の上面とが、略同一高さになるようにすることができる。
【発明の効果】
【００１０】
本発明の容器の栓部材によれば、容器の口部に取り付けられる開口部を備えた中栓部と、中栓部の開口部に挿通し、中栓部の軸方向に沿って摺動可能にされるスライド伸縮ノズル部とが、易破断部を介して接続された状態で一体成形されてなるようにすることにより、製造及び組み込みが容易で、かつ、一体成形のため中栓部とスライド伸縮ノズル部の組み合わせが１つに固定され、各部材の寸法のバラツキの影響を受けず、スライド伸縮ノズル部の中栓部に対する摺動性、係止性、シール性を良好にできる。
【００１１】
また、中栓部の上端部に、スライド伸縮ノズル部の下端部から延設した易破断部の端部が複数箇所で点接続されてなるようにすることにより、製造及び組み込みをより一層容易にすることができる。
【００１２】
また、前記容器の口部の上面に当接する中栓部のフランジの上面と、中栓部に収納されたスライド伸縮ノズル部の上面とが、略同一高さになるようにすることにより、コンパクトでハンドリングが容易に栓部材とすることができる。
【図面の簡単な説明】
【００１３】
【図１】本発明の容器の栓部材の第１実施例を示す説明図である。
【図２】同容器の栓部材の使用方法を示す説明図である。
【図３】本発明の容器の栓部材の第２実施例を示す説明図である。
【発明を実施するための形態】
【００１４】
以下、本発明の容器の栓部材の実施の形態を、図面に基づいて説明する。
【実施例１】
【００１５】
図１〜図２に、本発明の容器の栓部材の第１実施例を示す。
この容器の栓部材１は、容器Ｂの口部に取り付けられる開口部を備えた中栓部２と、中栓部２の開口部に挿通し、中栓部２の軸方向に沿って摺動可能にされるスライド伸縮ノズル部３と、容器Ｂの口部を封止する栓部５とからなり、中栓部２とスライド伸縮ノズル部３とが、易破断部４を介して接続された状態で一体成形されてなるようにしている。
【００１６】
この場合において、一体成形する中栓部２、スライド伸縮ノズル部３及び易破断部４は、容器Ｂに収容する液状内容物に適合した合成樹脂材料、通常は、透明の合成樹脂材料を使用し、金型を用いた射出成形方法によって成形するようにする。
【００１７】
中栓部２の上端部２１は口径が縮小する方向に内向きに延出するように形成し、この中栓部２の上端部２１に、スライド伸縮ノズル部３が収納状態のときは、スライド伸縮ノズル部３の最上端部の外周に形成したフランジ３１が当接することでスライド伸縮ノズル部３が係止され、スライド伸縮ノズル部３が引き上げられたときは、スライド伸縮ノズル部３の下端部の外周に形成した突条３２が当接することでスライド伸縮ノズル部３が係止されるようにしている。
また、中栓部２の下端部の内周に突条２２を形成し、この中栓部２の突条２２に、スライド伸縮ノズル部３が収納状態のときは、スライド伸縮ノズル部３の突条３２が当接することで係止されるようにしている。
また、中栓部２の外周にフランジ２３を形成し、中栓部２を容器Ｂの口部に装着したときに、当該口部の上面に当接することで係止されるようにしている。
そして、スライド伸縮ノズル部３の最下端部の外径Ｄ３は、中栓部２の上端部２１の内径（口径）Ｄ２より小さく形成するとともに、スライド伸縮ノズル部３の突条３２の下面はテーパ面に形成するようにしている。これにより、易破断部４を介して一体成形された中栓部２及びスライド伸縮ノズル部３を、スライド伸縮ノズル部３を中栓部２側に押し込み、易破断部４を破断することで、スライド伸縮ノズル部３の突条３２のテーパ面に案内されて、中栓部２内にスライド伸縮ノズル部３が円滑に収納することができる。
【００１８】
そして、本実施例において、中栓部２及びスライド伸縮ノズル部３は、易破断部４を介して一体成形された状態において、中栓部２の上端部に、スライド伸縮ノズル部３の下端部から延設した易破断部４の端部が複数箇所（例えば、等間隔で３〜４箇所。本実施例においては、４箇所。）で点接続されてなるようにしている。
易破断部４は、中栓部２とスライド伸縮ノズル部３の組み合わせが１つに固定されるためのものであり、易破断部４を介して一体成形された中栓部２及びスライド伸縮ノズル部３を、成形後、適宜段階、例えば、容器Ｂの口部に装着する段階で、スライド伸縮ノズル部３を中栓部２側に押し込み、易破断部４を破断するようにする。
このため、易破断部４は、中栓部２とスライド伸縮ノズル部３とを点接続するほか、例えば、周接続するようにすることもできるが、この場合も、組み込み工程に手数を要しない容易に破断できる脆弱な構造（中栓部２及びスライド伸縮ノズル部３が容器Ｂの口部に装着されるまでに分離しない程度の脆弱な構造）にする必要がある。
【００１９】
この容器の栓部材１は、従来のこの種の栓部材と同様、液状内容物を取り出すとき、栓部５を外すことで、中栓部２の挿通し、中栓部２の軸方向に沿って摺動可能にされているスライド伸縮ノズル部３を、栓部５の引き上げ部５１との摩擦抵抗の作用で、栓部５と共に引き上げ、中栓部２に係止することでその状態を維持することができるようにしている。
なお、栓部５の引き上げ部５１とスライド伸縮ノズル部３とは、アンダーカット構造により係合することによって、スライド伸縮ノズル部３を栓部５と共に引き上げるようにすることもできる。
【００２０】
そして、この容器の栓部材１は、容器Ｂの口部に取り付けられる開口部を備えた中栓部２と、中栓部２の開口部に挿通し、中栓部２の軸方向に沿って摺動可能にされるスライド伸縮ノズル部３とが、易破断部４を介して接続された状態で一体成形されてなるようにすることにより、製造及び組み込みが容易で、かつ、一体成形のため中栓部２とスライド伸縮ノズル部３の組み合わせが１つに固定され、金型に複数のキャビティを設定（複数個取り）した場合の各部材の組み合わせの変動がなく、各部材の寸法のバラツキの影響を受けず、スライド伸縮ノズル部３の中栓部２に対する摺動性、係止性、シール性を良好にできる。
【実施例２】
【００２１】
図３に、本発明の容器の栓部材の第２実施例を示す。
この容器の栓部材１は、容器Ｂの口部の上面に当接する中栓部２のフランジ２３の上面と、中栓部２に収納されたスライド伸縮ノズル部３の上面となるスライド伸縮ノズル部３の最上端部の外周に形成したフランジ３１の上面とが、略同一高さ（ここで、「略同一高さ」とは、フランジ３１の厚み程度の差がある場合を含んでいう。なお、フランジ３１の厚み寸法だけ中栓部２の上端部２１の高さを低く形成することにより、この差をなくすこともできる。）になるようにしている。
これにより、コンパクトでハンドリングが容易に栓部材１とすることができる。
【００２２】
なお、この容器の栓部材１のその他の構成及び作用は、上記第１実施例の容器の栓部材１と同様である。
【００２３】
以上、本発明の容器の栓部材について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の容器の栓部材は、製造及び組み込みが容易で、かつ、各部材の寸法のバラツキの影響を受けず、スライド伸縮ノズル部の中栓部に対する摺動性、係止性、シール性を良好にできるという特性を有していることから、液状食品や液状化粧品等の液状内容物を収容した容器の栓部材の用途に好適に用いることができる。
【符号の説明】
【００２５】
１  栓部材
２  中栓部
３  スライド伸縮ノズル部
４  易破断部
５  栓部
Ｂ  容器
【図１】
2020029292.tif 000003
【図２】
2020029292.tif 000004
【図３】
2020029292.tif 000005